(57)【要約】【課題】フェージングによってデータ通信の劣化が発生した場合の、ＳＶ回線を利用したデータ送信の確実性を向上させることのできる通信システムを提供する。【解決手段】無線アクセス装置のうち有線ネットワークを介して監視装置から送信されたデータを受信した無線アクセス装置が、当該受信したデータを無線通信により他の無線アクセス装置へ送信し、その無線アクセス装置とのデータ送受信状況の劣化の有無を判定し、そのデータ送受信状況の劣化が有ると判定された場合にデータの送信におけるタイムアウト時間の延長要求を監視装置へ送信する。そして、監視装置が、タイムアウト時間の延長要求の受信に基づいて、データの送信におけるタイムアウト時間を延長する。【選択図】図１
2011097140.tif 000002
【特許請求の範囲】
【請求項１】
データ送信装置と、無線中継装置とを備えた通信システムであって、
前記無線中継装置が、
前記データ送信装置より送信され、有線ネットワークを介して受信したデータを無線通信により無線アクセス装置へ送信する無線通信部と、
前記無線アクセス装置とのデータ送受信状況の劣化の有無を判定する第１送受信状況劣化判定部と、
前記第１送受信状況劣化判定部において前記データ送受信状況の劣化が有ると判定された場合に前記データの送信におけるタイムアウト時間の延長要求を前記データ送信装置へ送信する第１タイムアウト延長要求部と、を備え、
前記データ送信装置が、
前記タイムアウト時間の延長要求の受信に基づいて、前記データの送信におけるタイムアウト時間を延長するタイムアウト時間変更部と、を備える
ことを特徴とする通信システム。
【請求項２】
前記無線アクセス装置が、
前記無線中継装置とのデータ送受信状況の劣化の有無を判定する第２送受信状況劣化判定部と、
前記第２送受信状況劣化判定部において前記データ送受信状況の劣化が有ると判定された場合に前記データの送信におけるタイムアウト時間の延長要求を前記無線中継装置を介してデータ送信装置へ送信する第２タイムアウト延長要求部と、
を備えることを特徴とする請求項１に記載の通信システム。
【請求項３】
前記第１送受信状況劣化判定部は、フェージングの発生の有無を判定、当該フェージングが発生していると判定した場合に、前記データ送信状況の劣化が有ると判定する
ことを特徴とする請求項１に記載の通信システム。
【請求項４】
前記第２送受信状況劣化判定部は、フェージングの発生の有無を判定、当該フェージングが発生していると判定した場合に、前記データ送信状況の劣化が有ると判定する
ことを特徴とする請求項２に記載の通信システム。
【請求項５】
前記データ送信装置のタイムアウト時間変更部は、前記無線中継装置、または前記無線アクセス装置の何れかより前記データ送受信状況の改善通知を受信した場合に、前記延長したタイムアウト時間を所定の初期値に変更する
ことを特徴とする請求項１から請求項４の何れかに記載の通信システム。
【請求項６】
データ送信装置と、無線中継装置とを備えた通信システムにおける通信方法であって、
前記無線中継装置の無線通信部が、前記データ送信装置より送信され、有線ネットワークを介して受信したデータを無線通信により無線アクセス装置へ送信し、
前記無線中継装置の第１送受信状況劣化判定部が、前記無線アクセス装置とのデータ送受信状況の劣化の有無を判定し、
前記無線中継装置の第１タイムアウト延長要求部が、前記第１送受信状況劣化判定部において前記データ送受信状況の劣化が有ると判定された場合に前記データの送信におけるタイムアウト時間の延長要求を前記データ送信装置へ送信し、
前記データ送信装置のタイムアウト時間変更部が、前記タイムアウト時間の延長要求の受信に基づいて、前記データの送信におけるタイムアウト時間を延長する
ことを特徴とする通信方法。
【請求項７】
前記無線アクセス装置の第２送受信状況劣化判定部が、前記無線中継装置とのデータ送受信状況の劣化の有無を判定し、
前記無線アクセス装置の第２タイムアウト延長要求部が、前記第２送受信状況劣化判定部において前記データ送受信状況の劣化が有ると判定された場合に前記データの送信におけるタイムアウト時間の延長要求を前記無線中継装置を介してデータ送信装置へ送信する
ことを特徴とする請求項７に記載の通信方法。
【発明の詳細な説明】
【技術分野】
【０００１】
本発明は、装置間でデータを送受信する通信システムおよび通信方法に関する。
【背景技術】
【０００２】
図１で示す通信システムは、監視装置１０と無線アクセス装置２０ａ〜２０ｄで構成されている。ここで図１に示す通信システムにおいて、各無線アクセス装置２０ａ〜２０ｄ（総称して、無線アクセス装置２０とする）は、有線ネットワークを介して監視装置１０または他の無線アクセス装置に接する第一の通信手段と、無線ネットワークを介して他の無線アクセス装置に接続する第二の通信手段とをそれぞれ有しており、直列な接続構成となっている（直列に接続された最後の無線アクセス装置は第一の通信手段のみが他の無線アクセス装置と無線ネットワークを介して接続される）。
【０００３】
そして、監視装置１０が例えば無線アクセス装置２０ｂに対してデータを送信した場合、無線アクセス装置２０ａと無線アクセス装置２０ｂの間の無線通信のフェージングにより、無線アクセス装置２０ｂに対する無線通信が劣化する可能性がある。図１に示すような通信システムにおいては、データの送受信を行う場合、主信号で重要なデータを送信し、その主信号への付加ビットを用いて監視制御回線（以下、ＳＶ回線とする）を構成し、例えば、無線アクセス装置２０ｂのファームウェアを更新するデータ等を、ＳＶ回線を用いて監視装置１０が送信することがある。
【０００４】
しかしながら、このような通信システムにおいては、無線アクセス装置２０間の無線通信においてフェージングにより通信の劣化が発生すると、主信号で送信する回線容量を確保するため、ＳＶ回線の回線容量を極力少なくする制御が行われる。この制御は、具体的には、信号の変調をより低レートの変調に変更することで、回線断を防ぐ適応変調機能（ＡＭＲ）と呼ばれる制御である。なお、関連する技術として、ファームウェアデータを転送し、情報機器が備える装置のファームウェアを更新する技術が特許文献１に開示されている。
【先行技術文献】
【特許文献】
【０００５】
【特許文献１】特開２００６−２６０１８２号公報
【発明の概要】
【発明が解決しようとする課題】
【０００６】
一般に通信機器は、データの送信時に、規定時間内に送信が完了しない場合や、送信相手からの応答がない場合に、処理を中断するタイムアウト機能を有している。これは通信機器が無限にデータの再送信を実行し、回線や通信機器のＣＰＵリソース等の資源を浪費させないためである。
【０００７】
ここで、ＡＭＲの機能によって、ＳＶ回線の回線容量を少なくすることにより、規定時間内でＳＶ回線を用いたデータの送信が完了しない場合、監視装置１０および無線アクセス装置２０ｂの間のデータ通信はタイムアウトとなり、監視装置１０と無線アクセス装置２０ｂのデータ送信が中断してしまう。しかしながらデータ送信を完了させるために、監視装置１０は中断したデータの送信を、最初から行う必要があるため、データを複数回送信することになり、ＳＶ回線に流れるトラフィック量がその分増加するという問題点がある。
【０００８】
そこでこの発明は、フェージングによってデータ通信の劣化が発生した場合の、データ送信の確実性を向上させることのできる通信システムおよび通信方法を提供することを目的としている。
【課題を解決するための手段】
【０００９】
上記目的を達成するために、本発明は、データ送信装置と、無線中継装置とを備えた通信システムであって、前記無線中継装置が、前記データ送信装置より送信され、有線ネットワークを介して受信したデータを無線通信により無線アクセス装置へ送信する無線通信部と、前記無線アクセス装置とのデータ送受信状況の劣化の有無を判定する第１送受信状況劣化判定部と、前記第１送受信状況劣化判定部において前記データ送受信状況の劣化が有ると判定された場合に前記データの送信におけるタイムアウト時間の延長要求を前記データ送信装置へ送信する第１タイムアウト延長要求部と、を備え、前記データ送信装置が、前記タイムアウト時間の延長要求の受信に基づいて、前記データの送信におけるタイムアウト時間を延長するタイムアウト時間変更部と、を備えることを特徴とする通信システムである。
【００１０】
また本発明は、上述の通信システムにおいて、前記無線アクセス装置が、前記無線中継装置とのデータ送受信状況の劣化の有無を判定する第２送受信状況劣化判定部と、前記第２送受信状況劣化判定部において前記データ送受信状況の劣化が有ると判定された場合に前記データの送信におけるタイムアウト時間の延長要求を前記無線中継装置を介してデータ送信装置へ送信する第２タイムアウト延長要求部と、を備えることを特徴とする。
【００１１】
また本発明は、上述の通信システムにおいて、前記第１送受信状況劣化判定部は、フェージングの発生の有無を判定、当該フェージングが発生していると判定した場合に、前記データ送信状況の劣化が有ると判定することを特徴とする。
【００１２】
また本発明は、上述の通信システムにおいて、前記第２送受信状況劣化判定部は、フェージングの発生の有無を判定、当該フェージングが発生していると判定した場合に、前記データ送信状況の劣化が有ると判定することを特徴とする。
【００１３】
また本発明は、上述の通信システムにおいて、前記データ送信装置のタイムアウト時間変更部は、前記無線中継装置、または前記無線アクセス装置の何れかより前記データ送受信状況の改善通知を受信した場合に、前記延長したタイムアウト時間を所定の初期値に変更することを特徴とする。
【００１４】
また本発明は、データ送信装置と、無線中継装置とを備えた通信システムにおける通信方法であって、前記無線中継装置の無線通信部が、前記データ送信装置より送信され、有線ネットワークを介して受信したデータを無線通信により無線アクセス装置へ送信し、前記無線中継装置の第１送受信状況劣化判定部が、前記無線アクセス装置とのデータ送受信状況の劣化の有無を判定し、前記無線中継装置の第１タイムアウト延長要求部が、前記第１送受信状況劣化判定部において前記データ送受信状況の劣化が有ると判定された場合に前記データの送信におけるタイムアウト時間の延長要求を前記データ送信装置へ送信し、前記データ送信装置のタイムアウト時間変更部が、前記タイムアウト時間の延長要求の受信に基づいて、前記データの送信におけるタイムアウト時間を延長することを特徴とする通信方法である。
【００１５】
また本発明は、上述の通信方法において、前記無線アクセス装置の第２送受信状況劣化判定部が、前記無線中継装置とのデータ送受信状況の劣化の有無を判定し、前記無線アクセス装置の第２タイムアウト延長要求部が、前記第２送受信状況劣化判定部において前記データ送受信状況の劣化が有ると判定された場合に前記データの送信におけるタイムアウト時間の延長要求を前記無線中継装置を介してデータ送信装置へ送信することを特徴とする。
【発明の効果】
【００１６】
本発明によれば、監視装置１０と有線により接続された無線アクセス装置２０（無線中継装置）または、他の無線アクセス装置２０から無線通信によりデータを受信する無線アクセス装置２０が、無線通信相手との間の無線通信のフェージングを検出した場合、データ送信元である監視装置１０に対して、タイムアウト時間の延長を要求する。これにより、ＡＭＲ機能の動作に基づく無線通信におけるＳＶ回線の回線容量の減少が発生しても、そのＳＶ回線によるデータ通信の維持の精度を高めることができる。
【図面の簡単な説明】
【００１７】
【図１】通信システムの構成を示すブロック図である。
【図２】無線アクセス装置の機能ブロック図である。
【図３】監視装置の機能ブロック図である。
【図４】通信システムの処理フローを示すシーケンス図である。
【図５】通信システムの構成を示す第２のブロック図である。
【発明を実施するための形態】
【００１８】
以下、本発明の一実施形態による通信システムを図面を参照して説明する。
図１は同実施形態による通信システムの構成を示すブロック図である。
この図において、符号１０は監視装置（データ送信装置）、２０ａ〜２０ｄはそれぞれ無線アクセス装置である。監視装置１０は、無線アクセス装置２０ａ〜２０ｄ（以下、総称して無線アクセス装置２０とする）それぞれの監視を行い、主信号を用いて主要なデータを送信するとともに、当該主信号への付加ビットを用いて監視制御回線（ＳＶ回線）を構成し、例えば、無線アクセス装置２０のファームウェアを更新するファームウェアデータを有線ネットワークにより送信する。
なお、監視装置１０は無線アクセス装置２０の監視にプロトコルとしてＳＮＭＰ等を利用し、また、ＳＶ回線を用いたファームウェアデータ等のデータ送信を、ＦＴＰやＴＦＴＰのようなプロトコルを利用して行う。
【００１９】
また無線アクセス装置２０は、有線ネットワークを介して監視装置１０または他の無線アクセス装置に接される有線通信手段と、無線ネットワークを介して他の無線アクセス装置２０に接続される無線通信手段とを有し、直列な接続形態を有する通信システムの構成を取っている。なお、直列に接続された無線アクセス装置２０のうち、最も監視装置１０に近く接続された無線アクセス装置２０ａは、有線ネットワークを介して監視装置１０に接続され、直列に接続された通信システムのうち最も端に接続された無線アクセス装置２０ｄは、無線通信手段のみが無線アクセス装置２０ｃと無線ネットワークを介して接続されている。無線アクセス装置２０ａ〜２０ｄのうち、他の無線アクセス装置２０へ無線によりデータを送信することとなるのは、無線アクセス装置２０ａと無線アクセス装置２０ｃであるため、無線アクセス装置２０ａと無線アクセス装置２０ｃを、無線アクセス装置２０のうちの無線中継装置と呼ぶこととする。
【００２０】
図２は無線アクセス装置の機能ブロック図である。
この図で示すように、無線アクセス装置２０は、有線ネットワークを介して接続された他の装置からの送信データを受信する有線受信部２０１、有線ネットワークを介して接続された他の装置へデータを送信する有線送信部２０２、受信した信号を変調する変調部２０３、信号を増幅する送信部２０４、受信した信号の分配を行う分配器２０５、信号を受信する受信部２０６、信号を復調する復調部２０７を備えている。また、無線アクセス装置２０は、伝送路の状態に応じて変調方式を変化させる変復調制御部２０８、他の無線アクセス装置２０とのデータ送受信状況の劣化の有無を判定する送受信状況劣化判定部２０９、送受信状況劣化判定部２０９においてデータ送受信状況の劣化が有ると判定された場合にデータの送信におけるタイムアウト時間の延長を要求するタイムアウト延長要求を監視装置１０へ送信するタイムアウト延長要求部２１０、無線通信の信号を送信するアンテナ２１１と、を備えている。
【００２１】
図３は監視装置の機能ブロック図である。
この図で示すように、監視装置１０は、有線ネットワークを介して接続された無線アクセス装置２０と通信を行う通信部１０１、監視装置１０の各処理部を制御する制御部１０２、データ送信時のタイムアウト時間を計測するタイムアウトカウンタ１０３、タイムアウト時間の変更処理を行うタイムアウト時間変更部１０４、各無線アクセス装置２０のＩＰアドレスを保持するデータベース１０５を備えている。
【００２２】
そして、本実施形態における通信システムでは、無線アクセス装置２０のうち有線ネットワークを介して監視装置１０から送信されたデータを受信した無線アクセス装置２０（無線中継装置）が、当該受信したデータを無線通信により他の無線アクセス装置２０へ送信し、その無線アクセス装置２０とのデータ送受信状況の劣化の有無を判定し、そのデータ送受信状況の劣化が有ると判定された場合にデータの送信におけるタイムアウト時間の延長要求を監視装置１０へ送信する。そして、監視装置１０が、タイムアウト時間の延長要求の受信に基づいて、データの送信におけるタイムアウト時間を延長する。
また、本実施形態における通信システムでは、無線通信により他の無線アクセス装置２０から監視装置１０の送信したデータを受信した無線アクセス装置２０が、当該データを送信した無線アクセス装置２０とのデータ送受信状況の劣化の有無を判定し、データ送受信状況の劣化が有ると判定された場合にデータの送信におけるタイムアウト時間の延長要求を、そのデータを送信した無線アクセス装置２０を介して監視装置１０へ送信する。
このような処理により、本実施形態の通信システムでは、フェージングによってデータ通信の劣化が発生した場合の、ＳＶ回線を利用したデータ送信の確実性を向上させる処理を行う。
【００２３】
なお、フェージングとは、無線通信において、時間差で到達した電波の波長が干渉し合い、受信側の電波レベルの強弱に影響を与える現象をいう。これにより、受信側の装置で正常にデータを受信できない環境が発生する。
【００２４】
図４は通信システムの処理フローを示すシーケンス図である。
次に、通信システムにおける各装置の処理の詳細について説明する。
本実施形態では、フェージングが発生していない状態を正常時として、フェージングが発生し回線劣化した状態を異常時とするが、正常時・異常時の動作が異なるためそれぞれの処理について説明する。
まず、正常時の動作では、監視装置１０は、予め無線アクセス装置２０ａ〜２０ｄのＩＰアドレスをデータベース１０５に記憶しており、ユーザ等によりインタフェースを介してデータ送信対象の無線アクセス装置２０の指定と、ＳＶ回線を用いて送信するデータの指定とを受付けた場合、その無線アクセス装置２０のＩＰアドレスとデータ（ファームウェア）とを制御部１０２が読み取る。そして、制御部１０２は、ＳＶ回線を用いてＴＦＴＰ（Trivial File Transfer Protocol）のプロトコルにより、データベースから読み取ったファームウェアのデータを、同じくデータベースから読み取ったＩＰアドレス宛に送信する処理を行う（ステップＳ１０１）。なお、本実施形態においては、この送信先のＩＰアドレスが、無線アクセス装置２０ｂのＩＰアドレスであるものとする。監視装置１０は無線アクセス装置２０ｂにファームウェアのデータを送信するにあたり、まず、直接接続されている無線アクセス装置２０ａを介して送信することとなる。監視装置１０はファームウェアのデータを、ブロック単位に分割して送信する。
【００２５】
無線アクセス装置２０ａは、監視装置１０から送信されたデータを有線受信部２０１で受信すると、変調部２０３が変復調制御部２０８の制御に基づいて信号を変調し、送信部２０４が宛て先である無線アクセス装置２０ｂをＩＰアドレスに基づいて判定し、分配器２０５を介してＳＶ回線を用いた無線通信によりファームウェアのデータをブロック単位で順次送信する（ステップＳ１０２）。そして、その無線通信により、無線アクセス装置２０ｂの受信部２０６が、ファームウェアのデータを受信する。ここで、無線アクセス装置２０ｂの受信部２０６は、ファームウェアのデータをブロック単位で順次受信するが、ブロック単位で分割されたファームウェアのデータを受信するたびに、受信応答（ＡＣＫ）を、無線アクセス装置２０ａを介して監視装置１０へ送信する（ステップＳ１０３）。ここで、無線アクセス装置２０ａや、無線アクセス装置２０ｂの送受信状況劣化判定部２０９は、無線アクセス装置２０ａと無線アクセス装置２０ｂの間の無線通信における受信レベルをそれぞれ検知し、フェージングの発生有無を判定する（ステップＳ１０４）。今、無線アクセス装置２０ａおよび無線アクセス装置２０ｂのそれぞれの送受信状況劣化判定部２０９が、フェージングの発生は無いと判定しているものとする。そして、無線アクセス装置２０ｂの受信部２０６は、全てのブロック単位で分割されたファームウェアのデータを受信すると、ダウンロード完了の通知を送信する（ステップＳ１０５）。
【００２６】
監視装置１０の制御部１０２は、無線アクセス装置２０ａを介してダウンロード完了の通知を受信すると、無線アクセス装置２０ａを介して無線アクセス装置２０ｂへ、リセット指示の情報を送信する（ステップＳ１０６）。このリセット指示の情報は、無線アクセス装置２０ａが無線通信により無線アクセス装置２０ｂへ転送する（ステップＳ１０７）。無線アクセス装置２０ｂは、リセット指示の情報を受信すると、先に受信したファームウェアのデータを用いて、現在登録されているファームウェアデータを書き換え、再起動を行う（ステップＳ１０８）。これにより、無線アクセス装置２０ａのファームウェアの更新処理が完了する。以上により、正常時の処理が完了する。
【００２７】
次に、異常時の動作について説明する。
上述のステップＳ１０４の判定において、無線アクセス装置２０ａや無線アクセス装置２０ｂのいずれか一方、または両方の送受信状況劣化判定部２０９が、フェージングの発生が有ると判定した場合、フェージングの発生有りを判定した無線アクセス装置２０ａの送信部２０４や無線アクセス装置２０ｂの受信部２０６が、ＡＭＲ機能を動作させ、信号の変調方式をより低レートな方式に変更する（ステップＳ１０９）。これにより、無線アクセス装置２０ａと無線アクセス装置２０ｂの間の無線通信における主信号で送信する回線容量を確保され、ＳＶ回線の回線容量を極力少なくする制御が行われる。そして、このＡＭＲ機能の動作開始を、無線アクセス装置２０ａや無線アクセス装置２０ｂのタイムアウト延長要求部２１０が検出する。すると、無線アクセス装置２０ａや無線アクセス装置２０ｂのタイムアウト延長要求部２１０は、監視装置１０に対して、ＳＶ回線容量の減少を通知する情報を送信する（ステップＳ１１０）。なお、一般的にフェージングによる受信レベルの低下時間は、数秒から９０秒程度であり、その後は受信レベルが回復する。
【００２８】
次に、監視装置１０は、ＳＶ回線容量の減少の通知の情報を受信すると、制御部１０２がタイムアウト時間変更部１０４にＳＶ回線容量の減少によるＳＶ回線を利用したデータ通信の異常を回避するよう命令する信号を出力する。するとタイムアウト時間変更部１０４は、タイムアウトカウンタ１０３で記憶するタイムアウト時間の閾値を、現状より長いタイムアウト時間の閾値に書き換える（ステップＳ１１１）。これにより、タイムアウトカウンタ１０３は、制御部１０２がデータ送信を行って、そのＡＣＫが無線アクセス装置２０から返信がない場合にタイムアウトと判定する処理を、長いタイムアウト時間を用いて行う。これにより、ＳＶ回線容量が減少しても、タイムアウトによるデータ通信の不能が回避される確率が高まる。
【００２９】
そして、無線アクセス装置２０ａや無線アクセス装置２０ｂの送受信状況劣化判定部２０９は、フェージングの発生有無の検出において、フェージング発生有りから、再び、フェージング発生無しと判定した場合には、ＡＭＲ機能により、信号の変調方式をより高レートな方式（より高速な通信が可能になる）に変更する（ステップＳ１１２）。これにより、ＳＶ回線の容量が通常時の容量へと増加する。無線アクセス装置２０ａや無線アクセス装置２０ｂのタイムアウト延長要求部２１０は、ＡＭＲ機能により、信号の変調方式をより高レートな方式に変更すると、監視装置１０に対して、ＳＶ回線容量の増加を通知する情報（データ送受信状況の改善通知）を送信する（ステップＳ１１３）。
【００３０】
次に、監視装置１０は、ＳＶ回線容量の増加の通知の情報を受信すると、制御部１０２がタイムアウト時間変更部１０４にＳＶ回線容量の増加によるＳＶ回線を利用したデータ通信の状態回復を通知する信号を出力する。するとタイムアウト時間変更部１０４は、タイムアウトカウンタ１０３で記憶するタイムアウト時間の閾値を、元の短いタイムアウト時間の閾値に書き換える（ステップＳ１１４）。その後、監視装置１０と無線アクセス装置２０の間で、データの送信が完了すると、上述したステップＳ１０５〜ステップ１０８の処理が行われる。
【００３１】
以上、上述の通信システムにおける各処理によれば、監視装置１０と有線ネットワークにより接続された無線アクセス装置２０（無線中継装置）または、他の無線アクセス装置２０から無線通信によりデータを受信する無線アクセス装置２０が、無線通信相手との間の無線通信のフェージングを検出した場合、データ送信元である監視装置１０に対して、タイムアウト時間の延長を要求する。これにより、ＡＭＲ機能の動作に基づく無線通信におけるＳＶ回線の回線容量の減少が発生しても、そのＳＶ回線によるデータ通信の維持の精度を高めることができる。
【００３２】
図５は通信システムの構成を示す第２のブロック図である。
上述した例では、無線アクセス装置２０が直列に接続された場合の例を示したが、図５で示すように、監視装置１０と有線ネットワークにより接続された無線アクセス装置２０ａに、複数の無線アクセス装置２０ｂ〜ｄが、直接、無線通信により接続されるように通信システムを構成するようにしてもよい。
【００３３】
なお、上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３４】
１０・・・監視装置
２０ａ〜２０ｄ・・・無線アクセス装置
２０１・・・有線受信部
２０２・・・有線送信部
２０３・・・変調部
２０４・・・送信部（無線通信部）
２０５・・・分配器（無線通信部）
２０６・・・受信部（無線通信部）
２０７・・・復調部
２０８・・・変復調制御部
２０９・・・送受信状況劣化判定部（第１送受信状況劣化判定部、第２送受信状況劣化判定部）
２１０・・・タイムアウト延長要求部（第１タイムアウト延長要求部、第１タイムアウト延長要求部）
２１１・・・アンテナ
１０１・・・通信部
１０２・・・制御部
１０３・・・タイムアウトカウンタ
１０４・・・タイムアウト時間変更部
１０５・・・データベース
【図１】
2011097140.tif 000003
【図２】
2011097140.tif 000004
【図３】
2011097140.tif 000005
【図４】
2011097140.tif 000006
【図５】
2011097140.tif 000007